(57)【要約】【課題】用紙搬送装置がある画像処理機においては、小型化とコストダウンが可能となり、用紙ａを搬送するための特別の装置がない画像処理機においては、ステープラの搭載が可能となる自走式ステープラ。【解決手段】内部で画像処理された用紙ａに綴りを施すための画像処理機に搭載されるステープラであって、ベース２上にステープラ本体１を相対的にスライド自在に設け、ベース２とステープラ本体１との間にスライド機構５を設けるとともに、上記画像処理機に上記ベース２を固定し、上記スライド機構５によって、綴り作動時にはステープラ本体１を所定の綴り位置にスライドさせ、綴り作動終了後に原位置にスライドさせる自走式ステープラであって、上記スライド機構を、上記ステープラ本体１の両側に回動可能に設けられたリンク７の一端を上記ベース２に係合可能に設ける構成とした。【選択図】図１
2005297329.tif 000002
【特許請求の範囲】
【請求項１】
内部で画像処理された用紙に綴りを施すための画像処理機に搭載されるステープラであって、ベース上にステープラ本体を相対的にスライド自在に設け、ベースとステープラ本体との間にスライド機構を設けるとともに、上記画像処理機に上記ベースを固定し、上記スライド機構によって、綴り作動時にはステープラ本体を所定の綴り位置にスライドさせ、綴り作動終了後に原位置にスライドさせる自走式ステープラであって、
上記スライド機構を、上記ステープラ本体の両側に回動可能に設けられたリンクの一端を上記ベースに係合可能に設ける構成としたことを特徴とする自走式ステープラ。
【発明の詳細な説明】
【技術分野】
【０００１】
本発明はベースに対してステープラ本体をスライド自在に設けた自走式ステープラに関するものである。
【背景技術】
【０００２】
一般に、複写機、ファクシミリ、これらの複合機などの画像処理機に、ステープラを搭載しているものが知られている。
【０００３】
ところで、用紙をステープルで綴る場合、用紙をステープラの綴り部まで送り、その後ステープラが綴り作動し、綴り終了後は再び用紙を綴り部から退避させるという動作が必要になる。
【０００４】
そこで、従来は複写機、ファクスなどの画像処理機内に用紙搬送装置を設置し、搬送装置に用紙の把持・解放機構と進入・退避機構を設けることにより、用紙を把持し、ステープラの綴り部まで搬送して解放し、綴り作動終了後に退避作動させていた。
【特許文献１】特開平９−２９５７４９号公報
【発明の開示】
【発明が解決しようとする課題】
【０００５】
しかしながら、画像処理機内に上述のような用紙搬送装置を搭載しようとすると、用紙の把持・解放や進入・退避に関する諸機構を設けなければならない。このため、処理機自体が複雑になってコストが高くなるとともに、大型化してしまい、小型、低コストの画像処理機にステープラを搭載することの障害になっていた。
【０００６】
本発明が解決しようとする課題は、上記問題点を解決し、用紙搬送装置がある画像処理機においては、小型化とコストダウンが可能となり、用紙を搬送するための特別の装置がない画像処理機においては、ステープラの搭載が可能となる自走式ステープラを提供する点にある。
【課題を解決するための手段】
【０００７】
前記目的を達成するため、本発明に係る自走式ステープラは、内部で画像処理された用紙に綴りを施すための画像処理機に搭載されるステープラであって、ベース上にステープラ本体を相対的にスライド自在に設け、ベースとステープラ本体との間にスライド機構を設けるとともに、上記画像処理機に上記ベースを固定し、上記スライド機構によって、綴り作動時にはステープラ本体を所定の綴り位置にスライドさせ、綴り作動終了後に原位置にスライドさせる自走式ステープラであって、上記スライド機構を、上記ステープラ本体の両側に回動可能に設けられたリンクの一端を上記ベースに係合可能に設ける構成としたことを特徴とする。
【発明の効果】
【０００８】
請求項１に係る発明によれば、用紙搬送装置がある画像処理機においては、小型化とコストダウンが可能となり、用紙を搬送するための特別の装置がない画像処理機においては、ステープラの搭載が可能となる。そして、スライド機構を、ステープラ本体の両側に回動可能に設けられたリンクの一端をベースに係合可能に設ける構成としたので、リンクの動作を利用してステープラを多様に利用することができる。
【発明を実施するための最良の形態】
【０００９】
図１は本発明に係る自走式ステープラの概要図で、１はステープラ本体、２はベースを示す。
【００１０】
ベース２は、ステープラ本体１の底面と略同じ大きさの盤状に形成されたものである。
【００１１】
ステープラ本体１はベース２上に相対的にスライド自在に設けられている。なお、ステープラは、被綴り用紙ａにステープルを貫通させるステープル打ち出し手段３と貫通したステープル脚を折り曲げるクリンチ手段４とを備えた綴り装置で、電動モータを駆動源とするものであるが、ここでは、ステープラ本体１にステープル打ち出し手段とクリンチ手段が設けられている場合だけでなく、打ち出し手段またはクリンチ手段のみが設けられ、他方のクリンチ手段または打ち出し手段は画像処理機に設けられるものも含むものとする。
【００１２】
ベース２とステープラ本体１との間にはスライド機構５が設けられている。つまり、ステープラ本体１の両側には偏心カム６とＬ形リンク７が配置されている。偏心カム６は円板の偏心位置に回転軸８を設けたもので、ステープラ本体１の内部の駆動機構（図示せず）に作動連結している。Ｌ形リンク７の屈曲部はステープラ本体１の両側に設けた支持軸９に回動自在に支持され、一方の部分７ａは上記偏心カム６に係合可能に配置されている。他方の部分７ｂには長穴１０が形成されている。
【００１３】
ベース２には、上記各Ｌ形リンク７の他方の端部の長穴１０に係合する軸１１が設けられている。また、ベース２とステープラ本体１との間には圧縮バネ１２が設けられている。
【００１４】
上記構成によれば、偏心カム６を回転させることにより、図２のように偏心カム６に係合したＬ形リンク７の一方７ａの端部が図の反時計方向に押し込まれるので、他方の端部は上記圧縮バネ１２のバネ力に抗して軸を図の右方向に押し出すように作用する。したがって、ベース２が画像処理機等に固定されている時は、ステープラ本体１がベース２に対して図の左方向にスライド移動する。そして、被綴り用紙ａの綴り位置まで移動すると、綴り装置を作動させて打ち出し手段が駆動されて綴り作動が行われる。移動端を越えると、Ｌ形リンク７が軸１１を押す力はなくなるので、上記圧縮バネ１２のバネ力が勝り、ステープラ本体１はベース２本体に対して初期位置にスライド移動する。
【００１５】
なお、偏心カム６と圧縮バネ１２とによりストロークを一定にする吸収機構を設けるのが好ましい。
【００１６】
上記構成のステープラを複写機、ファクシミリなどの画像処理機の内部に搭載する場合、ベース２を画像処理機Ａの所定位置に固定し、ステープラ本体１がベース２に対して移動するときは、画像処理機内で画像処理された用紙ａの綴り部位（図２の位置）と上記綴り部位から最も遠い位置（初期位置、図１の位置）との間でスライドするように設定すればよい。また、偏心カム６は画像処理が終了して綴りの準備ができたときに、リンク７がステープラ本体１を綴り部位まで移動させる所定角度だけ回転し、綴り作動が終了した後にさらに初期位置まで回転するように設定すればよい。
【００１７】
以上の構成によれば、綴りの準備ができてステープラ本体１の駆動機構によりスライド機構５が作動し、偏心カム６が所定角度だけ回転すると、図２に示すように、ステープラ本体１が偏心カム６からの押圧力により綴り位置までスライド移動する。その移動端で偏心カム６が停止し、ステープラ本体１で綴り装置が作動して綴り作動が終了する。その後、偏心カム６がさらに図１に示す初期位置まで回転すると、ステープラ本体１は圧縮バネ１２のバネ力により綴り位置から退避して初期位置までスライド移動する。これによって、綴りの１サイクルが終了する。
【００１８】
上述のように、ベース２を画像処理機に固定することにより、綴り作動の前後には、スライド機構５によってステープラ本体１を画像処理機の所定位置（綴り位置）に進入、退避させることによって用紙ａの綴りを行なうことができる。したがって、用紙搬送装置がある画像処理機においては、小型化とコストダウンが可能となり、用紙を搬送するための特別の装置がない画像処理機においては、ステープラの搭載が可能となる。
【００１９】
また、ベース２は、ステープラ本体１の底面と略同じ大きさの盤状に形成されているから、ステープラ全体をコンパクトにすることができる。
【００２０】
ところで、上記スライド機構は、前記ステープラ本体１の両側に回動可能に設けられたリンクの一端を前記ベース２に係合可能に設けたものであるから、図３に示すような構成のステープラを得ることができる。
【００２１】
すなわち、同図においてステープラはベース２とステープラ本体１とから構成されることは上述のものと同じであるが、このステープラは、中心軸１４を中心に回動自在になっている。また、ステープラの初期位置のさらに後方には、被綴り用紙ａの綴り側の端面に対応するようにプレート１５が配置されている。プレート１５には被綴り用紙ａの綴り側の端面と平行で、上記端面の長さよりも長い直線部１６の端部から前方に突出する突部１７が形成されている。
【００２２】
なお、ステープラを上記プレート１５の端縁に沿って移動させる駆動手段が設けられているものとする。
【００２３】
上記構成によれば、図４に示されるように、上記直線部１６の一端側でステープラのスライド機構５が作動してステープラ本体１がスライドして用紙ａに綴りが行われた後、再びステープラ本体１が初期位置に戻り、さらに駆動機構によりステープラ本体１を上記直線部の他端側に移動し、再びスライド機構５が作動することにより用紙ａの別の位置に綴りが行われる。このようにして、用紙ａに対し２〜３個所のステープルを直線上に打ち込むことができる。
【００２４】
また、ステープラ本体１をプレート１５の突部１７まで移動させてスライド機構５を作動させると、ステープラ本体１の両側のＬ形リンク７のうち一方のＬ形リンク７が回動するときに上記突部１７に当たるので、さらにＬ形リンク７が回動すると、突部１７を押圧するが、突部１７は動かないので、ベース２とともにステープラ本体１が中心軸１４を中心に一定の角度だけ回転する。一定の角度回転すると同時に、ステープラ本体１はベース２に対してスライドして綴りが行なわれる。このため、用紙ａに対してコーナー綴じができる。なお、綴り作動終了後には上記Ｌ形リンク７の上記突部１７に対する押圧力はなくなるので、上記ベース２を原位置まで回転させるためのバネ（図示せず）を取りつけておけばよい。
【００２５】
次に、図５は、ベース２とステープラ本体１とを別個に設け、ステープラ本体１には上述のように偏心カム６とＬ形リンク７とを取りつけ、ベース２には直線部２ａと突部２ｂとが形成されている。なお、１８は逃げ部である。
【００２６】
上記構成によれば、上記直線部２ａの一端側でステープラのスライド機構５が作動して左右のＬ形リンク７が回動すると、図６(ａ)(ｂ)に示されるように、Ｌ形リンク７の一端がベース２の直線部２ａを押すので、ステープラ本体１がスライドし、用紙ａに綴りが行われる。その後、再びステープラ本体１が初期位置に戻り、さらに駆動機構によりステープラ本体１を上記直線部２ａの他端側に移動し、再びスライド機構５が作動することにより用紙ａの別の位置に綴りが行われる。このようにして、用紙ａに対し直線に沿って複数のステープルを打ち込むことができる。
【００２７】
また、ステープラ本体１をプレートの突部２ｂまで移動させてスライド機構５を作動させると、ステープラ本体１の両側のＬ形リンク７のうち一方のＬ形リンク７が回動するときに上記突部２ｂに当たるので、さらにＬ形リンク７が回動すると、突部２ｂを押圧するが、突部２ｂは動かないので、ステープラ本体１が回転する。ステープラ本体１が一定の角度回転した後、スライドして綴りが行なわれる。このため、用紙ａに対してコーナー綴じができる。なお、この場合も、綴り作動終了後には上記Ｌ形リンク７の上記突部２ｂに対する押圧力はなくなるので、上記ベース２を原位置まで回転させるためのバネ（図示せず）を取りつけておけばよい。
【００２８】
上述のように、スライド機構５を、ステープラ本体１の両側に回動可能に設けられたＬ形リンク７の一端をベース２に係合可能に設ける構成としたので、Ｌ形リンク７の動作を利用してステープラを多様に利用することができる。
【図面の簡単な説明】
【００２９】
【図１】本発明に係るステープラの側面概要図である。
【図２】上記ステープラの作動状態の側面概要図である。
【図３】上記ステープラの応用例を示す説明図である。
【図４】上記ステープラの他の例を示す平面図である。
【図５】上記ステープラのさらに他の例を示す平面図である。
【図６】（ａ）（ｂ）は上記ステープラの作動態様を示す平面図である。
【符号の説明】
【００３０】
１  ステープラ本体
２  ベース
５  スライド機構
７  Ｌ形リンク
【図１】
2005297329.tif 000003
【図２】
2005297329.tif 000004
【図３】
2005297329.tif 000005
【図４】
2005297329.tif 000006
【図５】
2005297329.tif 000007
【図６】
2005297329.tif 000008